(57)【要約】      （修正有）【課題】電子書籍端末を使い易くすると共に外傷から保護するためのファイルを提供する。【解決手段】電子書籍端末用ファイルであって、前記ファイル１は、台皮２と表皮３とは背表皮４にて一枚に連結されていると共に前記台皮２の内面２ａにはプラスチックシートが貼り合わせてあり、前記電子書籍端末６の裏面にはマイクロ吸盤テープが取り付けられていて、電子書籍端末６を前記プラスチックシートに密着させてファイル１内に保持させ、電子書籍端末６を使用するときはファイル１の表皮３を開き、使用しないときは閉じておく。【選択図】図１
0003160806.tif 000002
【実用新案登録請求の範囲】
【請求項１】
電子書籍端末用ファイルであって、前記ファイルは、台皮と表皮とは背表皮にて一枚に連結されていると共に前記台皮の内面にはマイクロ吸着面又は平滑面又は面ファスナー面が形成され、前記電子書籍端末の裏面には前記マイクロ吸着面又は平滑面又は面ファスナー面に密着して電子書籍端末を前記台皮面に着脱自在に保持させておくことができ、且つ電子書籍端末の裏面から剥離して除去できる密着手段を取り付けて成る電子書籍端末用ファイル。
【請求項２】
前記電子書籍端末に換えて印刷された本又はノート又はメモ帳の裏面に前記密着手段を設けてこれらの本又はノート又はメモ帳を保持できるように構成して成る請求項１に記載の電子書籍端末用ファイル。
【請求項３】
前記ファイルには、表皮を閉じたときにこの表皮を台皮に止めておくための閉じ手段が設けられていることを特徴とする請求項１に記載の電子書籍端末用ファイル。
【請求項４】
前記ファイルの台皮と表皮からはループ状に繋がっている、又は結んでループ状に形成し、首に掛けることにより、ファイルを画板状に保持して前記電子書籍端末を用いるための首掛け紐又はベルトが設けられていることを特徴とする請求項１に記載の電子書籍端末用ファイル。
【請求項５】
前記ファイルの台皮には、壁掛け用のフックが設けられていることを特徴とする請求項１に記載の電子書籍端末用ファイル。
【請求項６】
前記ファイルには、手に提げて電子書籍端末を携行するための紐又はベルトが設けられていることを特徴とする請求項１に記載の電子書籍端末用ファイル。
【考案の詳細な説明】
【技術分野】
【０００１】
本考案は、ｉＰＡＤ（登録商標）のような電子書籍端末（以下「アイパッド」という。）用に開発されたファイルであって、アイパッドをブックカバーのような形態で利用することができるようにしたり、外傷から保護したり、携行したりすることができるファイルに関するものである。
【背景技術】
【０００２】
アイパッドの代表的な機能は、ダウンロードした電子書籍を電子書籍リーダー機能を用いて読んだり見たりすることができるものであるが、このような機能を用いる場合、通常は屋内において椅子に座り、机を用いる場合が多い。
【０００３】
しかし、このように座って用いる場合以外に、電車とかベンチ等においては、机が無いケースもあり、また歩行しながら読んだり見たりすることもある。
【０００４】
このような場合、アイパッドを片手又は両手に持ったり、支えたりと、使用形態は多様である。
【０００５】
一方、アイパッドの外観は、縦２４２．８ｍｍ、横１８９．７ｍｍ、厚さ１３．４ｍｍ、重量６８０ｇ（又は７３０ｇ）の偏平体であって、その裏面はアルミの平滑なボディ面となっているため、すべり易く、落したりする心配があると共に使用しない場合や携行する場合に裸のままであると特にディスプレー面に傷をつけたり汚したりする心配がある。
【考案の開示】
【考案が解決しようとする課題】
【０００６】
本考案は、アイパッドの使用形態や携行に際して便利なように、見開きタイプのファイル内にアイパッドを保持することにより、使い易さと携行しやすさ及び傷をつけたり汚したりしないファイルを提供するのが目的である。
【課題を解決するための手段】
【０００７】
上記目的を達成するため、請求項１に記載の考案では、電子書籍端末用ファイルであって、前記ファイルは、台皮と表皮とは背表皮にて一枚に連結されていると共に前記台皮の内面にはマイクロ吸着面又は平滑面又は面ファスナー面が形成され、前記電子書籍端末の裏面には前記マイクロ吸着面又は平滑面又は面ファスナー面に密着して電子書籍端末を前記台皮面に着脱自在に保持させておくことができ、且つ電子書籍端末の裏面から剥離して除去できる密着手段を取り付けて成ることを特徴とするものである。
【０００８】
この考案によると、アイパッドはファイル内に保持されているため、このファイルを開くだけでアイパッドの使用が可能となり、使用しない場合はファイルを閉じることによりアイパッドを保護（カバー）することができる。
【０００９】
また、携行する場合は、ファイルを閉じたまま手に持ったり、鞄に収納したりすることができる。
【００１０】
また、不用意に落した場合でも、ファイルが緩衝材となって衝撃を和らげることにより、アイパッドの破損を防ぐことができる。
【００１１】
また、アイパッドは、ファイル内に保持したりファイルから取り外すことが自在のため、色々な使用形態に対応することができる。
【００１２】
更に、請求項２に記載した考案は、請求項１に記載の電子書籍端末用ファイルにおいて、前記電子書籍端末に換えて印刷された本又はノート又はメモ帳の裏面に前記密着手段を設けてこれらの本又はノート又はメモ帳を保持できるように構成して成ることを特徴とするものである。
【００１３】
この考案によると、電子書籍以外に出版された本やノート、メモ帳用のファイルとしても使用が可能となる。
【００１４】
更に、請求項３に記載した考案は、請求項１に記載の電子書籍端末用ファイルにおいて、前記ファイルには、表皮を閉じたときにこの表皮を台皮に止めておくための閉じ手段が設けられていることを特徴とするものである。
【００１５】
更に、請求項４に記載した考案は、請求項１に記載の電子書籍端末用ファイルにおいて、前記ファイルの台皮と表皮からはループ状に繋がっている、又は結んでループ状に形成し、首に掛けることにより、ファイルを画板状に保持して前記電子書籍端末を用いるための首掛け紐又はベルトが設けられていることを特徴とするものである。
【００１６】
更に、請求項５に記載した考案は、請求項１に記載の電子書籍端末用ファイルにおいて、前記ファイルの 台皮には、壁掛け用のフックが設けられていることを特徴とするものである。
【００１７】
更に、請求項６に記載した考案は、請求項１に記載の電子書籍端末用ファイルにおいて、前記ファイルには、手に提げて電子書籍端末を携行するための紐又はベルトが設けられていることを特徴とするものである。
【考案の効果】
【００１８】
本考案に係るファイルは、アイパッドをファイリングしたような形態で利用できるので、扱い易く、また、外傷から守ることができる効果がある。
【図面の簡単な説明】
【００１９】
【図１】アイパッドをファイリングした状態の正面図である。
【図２】ファイルの内面を示す正面図である。
【図３】アイパッドの裏面図である。
【図４】Ａ−Ａ’線断面図である。
【図５】表皮と台皮を閉じておくための留めバンドを設けたファイルの説明図である。
【図６】アイパッドを携行しやすくしたファイルの説明図である。
【図７】アイパッドを画板式に首に掛けて利用できるようにしたファイルの説明図である。
【考案を実施するための最良の形態】
【００２０】
本考案に係る電子書籍端末用ファイルは、アイパッドの使用しやすさと携行のしやすさおよび外傷からの保護を目的とするため、手に良く馴染み、ソフトな感触のものが望まれる。
【００２１】
このような材質の素材としては、本皮、人工皮革、不織布、布等が考えられるが、上記条件を満足するものならばその他の素材の使用を妨げるものではない。
【００２２】
また、ファイルの外観としては、任意のデザインを施すことにより、プライベートデザインのアイパッドを演出するようにしても良い。
【実施例１】
【００２３】
図１〜図４に基づいて請求項１に記載した本考案の実施例を説明する。図１はファイル内にアイパッドを保持させたファイルの見開き状態の正面図、図２はアイパッドを取り外したファイルの見開き状態の正面図、図３はアイパッドの裏面図、図４はＡ−Ａ’線断面図である。
【００２４】
以上図１〜図４において、符号の１は台皮２と表皮３を背表皮４で一連に繋いだファイルであって、台皮２の内面２ａには図２に示すように平滑なプラスチックシート（フィルム）５が貼り付けてある。
【００２５】
６はアイパッドであって、このアイパッド６の裏面６ａには図３に示すようにマイクロ吸盤テープ７が上下二段に感圧接着テープ８を介して取り付けられており、不要となった場合には剥し取ることができる。なお、このマイクロ吸盤テープ７の大きさ、位置はアイパッド６を確実にプラスチックシート５面に密着して保持できる形態ならば、実施例に限定されない。
【００２６】
上記ファイル１にアイパッド６を取り付ける場合には、図５に示すように台皮２のプラスチックシート５の面にアイパッド６のマイクロ吸盤テープ７を対向させて圧接するだけでよく、取り外す場合には手で剥し取れば良い。
【００２７】
上記構成において、台皮２側にマイクロ吸盤テープ７を貼り付け、アイパッド６側にプラスチックシート５を貼り付けるようにしても良い。
【００２８】
その他、台皮２に対するアイパッド６の取り付け手段としては、双方に面ファスナーを対向するようにして用いても良い。
【００２９】
また、ファイル１には、アイパッド６ではなく、出版物、ノート、メモ帳等を同じようにファイリングすることもできる（請求項２）。
【００３０】
また、ファイル１は、図５に示すように、留めバンド９を用いて表皮３と台皮２を閉じておくようにしても良く（請求項３）、あるいは携行に便利なように図６に示すように把手１０をファイル１に設けるようにしても良い（請求項６）。
【００３１】
また、ファイル１には、図７に示すように、ループ状に紐又はベルト１１を取り付けておき、画板のような形態でアイパッド６を利用できるようにしておくと（請求項４）、屋外のベンチ等において利用する場合に便利である。
【００３２】
その他、アイパッド６を壁掛けで利用できるように、ファイル１の台皮２にフックを取り付けておくようにしても良い（請求項５）。
【符号の説明】
【００３３】
１  ファイル
２  台皮
３  表皮
４  背表皮
５  プラスチックシート
６  アイパッド
７  マイクロ吸盤テープ
８  感圧接着剤
９  留めバンド
１０  把手
１１  ベルト
【図１】
0003160806.tif 000003
【図２】
0003160806.tif 000004
【図３】
0003160806.tif 000005
【図４】
0003160806.tif 000006
【図５】
0003160806.tif 000007
【図６】
0003160806.tif 000008
【図７】
0003160806.tif 000009